(57)【要約】【目的】  取付け作業の容易な忍返しおよび該忍返しをとりつけた防犯用フエンスを提供する。【構成】  上部に胴縁を形成している縦線材を所定間隔で配し、該縦線材に所要数の横線材を溶接等の固定手段で固定して組格してなるフエンス本体にとりつけられる忍返しであって、該忍返しは所定長さの板材又は線材からなる取付部と、該取付部の上方に剣先部を有し、該取付部には長手方向に沿って、複数個のボルト軸の挿通長孔が、又は略全長にわたるボルト軸の挿通長孔が形成されており、該挿通長孔にはネジ受具が、挿通長孔に挿通されたボルトに螺合されてとりつけられており、フエンス本体に忍返しをとりつけるに際しては、フエンス本体の胴縁または該胴縁の下方の縦線材の一面側に忍返しの取付部が当接された状態で、該縦線材の他面側にネジ受具が当てがわれて縦線材を忍返しの取付部とネジ受具に挟着した状態でボルトとネジ受具の締結によって、忍返しをフエンス本体に固定することを特徴とする忍返し、ならびに上記忍返しをとりつけた防犯用フエンス。【選択図】図５
2006299791.tif 000002
【特許請求の範囲】
【請求項１】
上部に胴縁を形成している縦線材を所定間隔で配し、該縦線材に所要数の横線材を溶接等の固定手段で固定して組格してなるフエンス本体にとりつけられる忍返しであって、該忍返しは所定長さの板材又は線材からなる取付部と、該取付部の上方に剣先部を有し、該取付部には長手方向に沿って、複数個のボルト軸の挿通長孔が又は略全長にわたるボルト軸の挿通長孔が形成されており、該挿通長孔にはネジ受具が、挿通長孔に挿通されたボルトに螺合されてとりつけられており、フエンス本体に忍返しをとりつけるに際しては、フエンス本体の胴縁または該胴縁の下方の縦線材の一面側に忍返しの取付部が当接された状態で、該縦線材の他面側にネジ受具が当てがわれて縦線材を忍返しの取付部とネジ受具に挟着した状態でボルトとネジ受具の締結によって、忍返しをフエンス本体に固定することを特徴とする忍返し。
【請求項２】
ボルト軸の挿通長孔には、該挿通長孔の一端側にボルトの頭部が挿通できる大孔が連設されており、ネジ受具を予め螺合しているボルトをボルト軸の挿通長孔に取り付けるに当たり、ボルトの頭部を上記大孔に挿通して、次いでボルト軸を挿通長孔に移動して取り付けることを特徴とする請求項１記載の忍返し。
【請求項３】
請求項１又は請求項２記載の忍返しをフエンス本体にとりつけたことを特徴とする防犯用フエンス。
【発明の詳細な説明】
【技術分野】
【０００１】本発明は忍返しおよび該忍返しをとりつけた防犯用フエンスを提供する。
【背景技術】
【０００２】従来上部に胴縁を形成している縦線材を所定間隔で配し、該縦線材に所要数の横線材を溶接等の固定手段で固定して組格してなる通称ネットフエンスと称するフエンス本体は公知である。またこのネットフエンスにとりつける忍返し、および該忍返しをとりつけた防犯用に適したフエンスも公知である。本発明者も既に提案している。
【特許文献１】  実用新案登録第３０９９７８６号
【発明の開示】
【発明が解決しようとする課題】
【０００３】ところが上記従来の忍返しはネットフエンスの胴縁に当接してボルトを貫通してナットによる締結固定であるために、ボルトを締める側と、ナットを受ける側の最低２人の作業員が必要であり、ネットフエンス（フエンス本体）の表裏両面側に配置されるなど、作業の煩わしさと、コストアップ等の要因になっていた。
また忍返しはフエンス本体の胴縁の箇所でボルト、ナットによる締結固定であるので、忍返しの取付部の形状は胴縁の形状、大きさに添う形状としなければならず、たとえば胴縁の断面形状、円形、三角形、台形等に対応しなければならず、生産管理、在庫管理の面でコストアップの要因となっていた。
【課題を解決するための手段】
【０００４】本発明はつぎの特徴を備えている。
その一つは「上部に胴縁を形成している縦線材を所定間隔で配し、該縦線材に所要数の横線材を溶接等の固定手段で固定して組格してなるフエンス本体にとりつけられる忍返しであって、該忍返しは所定長さの板材又は線材からなる取付部と、該取付部の上方に剣先部を有し、該取付部には長手方向に沿って、複数個のボルト軸の挿通長孔が又は略全長にわたるボルト軸の挿通長孔が形成されており、該挿通長孔にはネジ受具が、挿通長孔に挿通されたボルトに螺合されてとりつけられており、フエンス本体に忍返しをとりつけるに際しては、フエンス本体の胴縁または該胴縁の下方の縦線材の一面側に忍返しの取付部が当接された状態で、該縦線材の他面側にネジ受具が当てがわれて縦線材を忍返しの取付部とネジ受具に挟着した状態でボルトとネジ受具の締結によって、忍返しをフエンス本体に固定することを特徴とする忍返し」である。【０００５】その二つは「上記構成の忍返しにおいて、ボルト軸の挿通長孔には、該挿通長孔の一端側にボルトの頭部が挿通できる大孔が連設されており、ネジ受具を予め螺合しているボルトをボルト軸の挿通長孔に取り付けるに当たり、ボルトの頭部を上記大孔に挿通して、次いでボルト軸を挿通長孔に移動して取り付けることを特徴とする忍返し」である。【０００６】その三つは「上記いずれかの構成の忍返しをフエンス本体にとりつけたことを特徴とする防犯用フエンス」である。
【発明の効果】
【０００７】本発明の忍返しは取付部に形成されているボルト軸の挿通長孔にネジ受具がボルトに螺合されてとりつけられているので、該忍返しをフエンス本体に固定するには、フエンス本体の胴縁又は該胴縁の下方の縦線材に忍返しの取付部を当接した状態で、縦線材の裏側に位置しているネジ受具を、縦線材が取付部とネジ受具にサンドイッチ状態に挟着される状態にしてボルト、ネジ受具（ナット）の締結によって忍返しをフエンス本体に固定できるので、この固定作業は１人の作業者で行うことができ、従来の２人作業者による作業に比べて煩わしさがなく、人件費の削減とコスト低減に寄与する。ことに図７、図８並びに図７−Ａ、図８−Ａに示す実施例のごとき構成の忍返しであれば、予めネジ受具にボルトを螺合した状態で、ボルトを大孔を通してボルト軸の挿通長孔にとりつけできるので、素人でも簡単にフエンス本体に締結固定ができる。【０００８】本発明の忍返しは、所定長さの板材又は線材からなる取付部には長手方向に沿ってボルト軸の挿通長孔が形成されているので、フエンス本体に取付ける際に、忍返しを寸法調整上、所定の長さに切断した場合でも常に取付部の長手方向にボルト軸の挿通長孔が形成されているので、該長孔にボルトおよびネジ受具のとりつけが可能であり、よってフエンス本体への標凖寸法外、つまり特殊寸法の忍返しの取り付けができる。【０００９】フエンス本体の胴縁の下方の縦線材に忍返しの取付部を当てがって、その部位でボルト、ネジ受具にて締結すれば、図１０等に示すごとく胴縁の断面形状が異なっていても一種類の忍返しでこれらフエンス本体への固定が可能であり、言わば忍返しの共用によって生産管理、在庫管理上メリット大である。
【発明を実施するための最良の形態】
【００１０】本発明の実施形態を図面を用いて以下に説明する。
図１〜図６は本発明の忍返しおよびその忍返しをとりつけた防犯用フエンスの一実施例を示す。
１は本発明の防犯用フエンス、２は公知のフエンス本体で縦線材２ａ、横線材２ｂを溶接、塗装等を施して適宜組格した通称ネットフエンスである。縦線材間の長さ５０〜７０ミリメートルである。
２ｃは上下の環状の胴縁である。図５に示すように該胴縁は縦線材の端部をリング形状とし、そのリングに内側に横線材を数本溶接して円形の胴縁を形成している。胴縁の断面形状は円形のほかに楕円形、四角形、三角形、台形、その他の形状であってももよい。このフエンス本体が固定具を介して支柱３に支持固定されている。
４は本発明の忍返しで、所定長さ（例えばフエンス本体の長さの半分あるいは３分の１の長さなど）を有し、金属製の板材の取付部５と、該取付部の上方の剣先部６とから構成されている。剣先部６は棒材からなり、取付部に所定間隔で溶接固定されている。【００１１】図２、図３は忍返し４を示す。所定長さの板材からなる取付部５と該取付部の上方に剣先部６を有している。取付部５は水平部の一端を下方に折り曲げて垂下部とし、水平部の他端を上方に折り曲げて垂直部とし、段上に成型している。しかして垂下部には長手方向に沿ってボルト軸の挿通長孔５ａが複数個全長にわたって形成されている。この挿通長孔には後述のネジ受具がボルトに螺合されてとりつけられる。上記ボルト軸の挿通長孔は略全長にわたって一本の連続孔で形成することもできる。また必要によっては補強リブを板部に形成することもできる。剣先部６は取付部の垂直部に棒材を溶接固定して形成されている。６ａは横棒の補強材で上記棒材に溶接固定している。【００１２】図４において７はボルトに螺合するネジ受具で、板材をＬ型に折曲しており、取付部７ａ、把手部７ｂ、くびれ部７ｃ、ネジ部７ｄを形成している。ネジ受具の板厚は挿通長孔の巾よりも小さく設計されており、くびれ部７ｃの巾も挿通長孔５ａの巾よりも小さく設計されている。それゆえに挿通長孔へのネジ受具のとりつけは、把手部をもって取付部を挿通長孔に挿入し、くびれ部が該長孔に位置している状態で９０度回転すれば、取付部７ａが挿通長孔５ａの裏側に平行状態となる。しかしてくびれ部７ｃが挿通長孔に係合状態となり、これがガイドになって把手部７ｂをもってネジ受具を挿通長孔の長手方向への移動ができる。【００１３】このネジ受具７の取付部７ａを忍返しの取付部のボルト軸の挿通長孔の裏側に位置せしめ、ボルト８を、そのボルト軸８ａを挿通長孔に挿通してネジ部７ｄに螺合して、予め取り付けておく。忍返しの固定に際し、これらボルトとネジ受具からなる止具は、少なくとも忍返しの長手方向両端側の挿通長孔に、必要に応じて中間にもとりつけておく。要は忍返しのフエンス本体への固定を満足するための止具である。【００１４】図５、図６は上記したごとく、予めボルトおよびネジ受具をとりつけた忍返しをフエンス本体の胴縁の下方の縦線材に固定するに当たり、忍返しの取付部が縦線材に当接された状態で、縦線材の裏側にネジ受具の取付部を位置せしめて、縦線材を忍返しの取付部５ａとネジ受具の取付部７ａに挟着した状態で、ボルト、ネジ受具（ナット）の締結によって忍返しをフエンス本体に固定している状態を示す。
ボルトおよびネジ受具は挿通長孔の長手方向に移動できるので、ネジ受具の取付部を縦線材の裏側に挿通長孔と平行して位置せしめ、ボルトとネジ受具の締結によって、忍返しの取付部とフエンス本体の縦線材との固定が容易にかつ強固にできる。なお、上記構成であるので１人の作業者で忍返しをフエンス本体に固定できる。【００１５】図７は本発明忍返し４の他の実施例を示す。この忍返しは取付部５を形成する板材に板材からなる剣先部６をスポット溶接で一体的にしている。両者を１枚の板材から適宜形状に成型加工することもできる。
ボルト軸のそれぞれの挿通長孔５ａには該挿通長孔の一端側にボルトの頭部が挿通できる円形の大孔５ａ１が連設されている。この挿通長孔は全長に連続していないが、連続した一本の挿通長孔としてもよい。その場合大孔５ａは１個端部に形成してもよい。【００１６】図８はネジ受具および該受具にボルトを螺合した別の実施例を示す。図示より明らかなようにネジ受具７はＬ型を呈している。７ａは取付部、７ｃはくびれ部、７ｄはネジ部である。このネジ部にボルト８を、そのボルト軸８ａを螺合して止具としている。８ｂはかしめ部で抜け止めである。この止具を忍返しの取付部の挿通長孔に予めとりつけるに当たり、ボルトの頭部を上記大孔に挿通して、次いでボルト軸を挿通長孔に挿入し、さらにネジ受具のくびれ部７ｃを挿通長孔に挿入して係合状態にする。これでボルトおよびネジ受具の挿通長孔への取り付け状態は前記実施例と同様である。【００１７】図７−Ａは本発明忍返し４のさらに他の実施例を示す。この忍返しは取付部５を形成する板材に板材からなる剣先部６をスポット溶接で一体的にしている。両者を１枚の板材から適宜形状に成型加工することもできる。
ボルト軸のそれぞれの挿通長孔５ａには該挿通長孔の一端側にボルトの頭部が挿通できる略円形の大孔５ａ１が連設されている。図７の大孔５ａ１は１個の挿通長孔の一端側に形成されているに比し、本図の大孔５ａ１は２個の挿通長孔のそれぞれの一端側に共通孔として形成されている。【００１８】図８−Ａはさらに別の実施例を示し、ネジ受具および該受具にボルトを螺合してフエンス本体に忍返しを取付けた状態を示す。図示より明らかなようにネジ受具７は取付部７ａの中央部に所定間隔をもって左右一対の折曲部を形成し、その先端にくびれ部７ｃを形成している。７ｄはネジ部で、左右一対の折曲部の間に形成されている。８ｃはナットである。これはネジ部がたんに貫通口の場合あるいはネジ部と併用してもよい。なお上記の折曲部はいずれか一個でもよい。このネジ部にボルト８を、そのボルト軸８ａを螺合して止具としている。この止具を忍返しの取付部の挿通長孔に予めとりつけるに当たり、ボルトの頭部を上記大孔に挿通して、次いでボルト軸を移動して左右いずれかの挿通長孔に挿入し、さらにネジ受具のくびれ部７ｃが挿通長孔に挿入されて係合状態を保持している。図面ではボルト軸は縦線材２ａの側に移動して縦線材がネジ受具と取付部に挟着される状態を示している。【００１９】図９は本発明のさらに別の実施例を示す。フエンス本体２の断面略円形の胴縁２ｃの一側に忍返し４の取付部５を当接せしめて、ネジ受具７を胴縁の縦線材の裏側に当てがい、ボルト８を螺合して、上記忍返しの取付部と胴縁の縦線材をボルトとネジ受具の間に狭着した状態で締結固定している。【００２０】図１０は本発明忍返しおよび該忍返しをとりつけた防犯用フエンスの他の実施例を示す説明図である。
図のＡ、Ｂ、Ｃはいずれも同一の忍返し４をフエンス本体２にとりつけている。フエンス本体の胴縁２ｃはそれぞれ断面形状が相違している。これら忍返しは胴縁の下方の縦線材２ａに取付部５を当接して、前記同様にボルトとネジ受具（不図示）で締結固定しているものであり、１種類の忍返しで共用できる。【００２１】図１１、図１２は忍返しのさらに他の実施例を示す。特徴は忍返し４の取付部５を線材で形成している。棒材からなる剣先部６の下端に、上下２本の線材５ｂ、５ｂをボルト軸の挿通できる間隙を設けて溶接固定し、この間隙を挿通長孔５ａとしている。
不図示であるが各挿通長孔の一端にボルト頭部が挿通できる大孔５ａ１ができるように線材５ｂを一部外側に湾曲した形状に形成することもできる。
図１２は本実施例の忍返しをフエンス本体２の縦線材２ａにボルト８とネジ受具７で締結固定している状態を示している。
以上本発明の実施例について説明したが、技術思想を逸脱しない限りの設計変更は可能である。
【図面の簡単な説明】
【００２２】
【図１】本発明の忍返しをとりつけた防犯用フエンスの一実施例を示す略正面図。
【図２】同じく忍返しの一実施例を示す略正面図。
【図３】同じく図２に示す忍返しの略右側面図。
【図４】同じくネジ受具およびボルトの一実施例を示し、Ａはネジ受具の正面図、ＢはＡの右側面図、Ｃはボルトの正面図。
【図５】図１のＸ−Ｘ線要部断面図。
【図６】図５のＸ−Ｘ線要部断面図。
【図７】本発明忍返しの他の実施例を示す略正面図。
【図８】同じくネジ受具および該受具にボルトを螺子合した他の実施例を示し、Ａはネジ受具の正面図、ＢはＡの右側面図、Ｃはネジ受具にボルトを螺合した状態図。
【図７−Ａ】本発明忍返しのさらに他の実施例を示す略正面図。
【図８−Ａ】同じくネジ受具および該受具にボルトを螺合してフエンス本体に忍返しをとりつけた状態図。
【図９】同じく本発明忍返しおよび忍返しをとりつけた防犯用フエンスの他の実施例を示す要部側面図。
【図１０】同じくさらに他の実施例を示す説明図。
【図１１】同じく忍返しのさらに他の実施例を示す略正面図。
【図１２】同じく図１１に示す忍返しをフエンス本体に締結固定した状態の略右側面図である。
【符号の説明】
【００２３】１    防犯用フエンス
２    フエンス本体
２ａ  縦線材
２ｂ  横線材
２ｃ  胴縁
３    支柱
４    忍返し
５    取付部
５ａ  ボルト軸の挿通長孔
５ａ１大孔
５ｂ  線材
６    剣先部
７    ネジ受具
７ａ  取付部
７ｂ  把手部
７ｃ  くびれ部
７ｄ  ネジ部
８    ボルト
８ａ  ボルト軸
８ｂ  かしめ部
８ｃ  ナット
【図１】
2006299791.tif 000003
【図４】
2006299791.tif 000004
【図２】
2006299791.tif 000005
【図３】
2006299791.tif 000006
【図５】
2006299791.tif 000007
【図６】
2006299791.tif 000008
【図７】
2006299791.tif 000009
【図８】
2006299791.tif 000010
【図７−Ａ】
2006299791.tif 000011
【図８−Ａ】
2006299791.tif 000012
【図９】
2006299791.tif 000013
【図１０】
2006299791.tif 000014
【図１１】
2006299791.tif 000015
【図１２】
2006299791.tif 000016